(57)【特許請求の範囲】
【請求項１】
表示画面部を支持する金属製の第１支持部材と、
前記第１支持部材を垂直面に対して所定の角度前後方向に回動可能に支持する金属製の第２支持部材とを備え、
前記第１支持部材と前記第２支持部材との一方は、挿入孔を有し、前記第１支持部材と前記第２支持部材との他方は、金属製であり、前記挿入孔に挿入される平板状の支持軸を一体的に有し、
前記第１支持部材と前記第２支持部材とのどちらか一方は、前記支持軸が前記挿入孔に挿入された際に、装置使用時における前記第１支持部材の垂直面に対する前後方向の回動範囲内において、前記支持軸が前記挿入孔から離脱するのを抑制するための係止部材を一体的に有する、表示画面旋回装置。
【請求項２】
前記第１支持部材は前記挿入孔を有し、前記第２支持部材は前記支持軸および前記係止部材を一体的に有し、
前記第１支持部材を装置使用時における前記第１支持部材の垂直面に対する前後方向の回動範囲よりも大きく回動させた場合に、前記第２支持部材の前記第１支持部材への係止状態が解除されるように構成されている、請求項１に記載の表示画面旋回装置。
【請求項３】
前記第１支持部材は、前記第２支持部材の前記第１支持部材への係止状態が解除される位置まで回動した状態において、前記係止部材を前記第１支持部材から離脱させるための切り欠き部をさらに有する、請求項２に記載の表示画面旋回装置。
【請求項４】
前記第２支持部材は、板金製であり、
前記支持軸と前記係止部材とは、折り曲げ加工により前記第２支持部材に一体的に形成されている、請求項２または３に記載の表示画面旋回装置。
【請求項５】
前記係止部材は、前記支持軸を挟み込むように前記第２支持部材に一対形成されている、請求項２〜４のいずれか１項に記載の表示画面旋回装置。
【請求項６】
テレビ映像を表示する表示画面部と、
前記表示画面部を支持する金属製の第１支持部材と、
前記第１支持部材を垂直面に対して所定の角度前後方向に回動可能に支持する金属製の第２支持部材とを備え、
前記第１支持部材と前記第２支持部材との一方は、挿入孔を有し、前記第１支持部材と前記第２支持部材との他方は、金属製であり、前記挿入孔に挿入される平板状の支持軸を一体的に有し、
前記第１支持部材と前記第２支持部材とのどちらか一方は、前記支持軸が前記挿入孔に挿入された際に、装置使用時における前記第１支持部材の垂直面に対する前後方向の回動範囲内において、前記支持軸が前記挿入孔から離脱するのを抑制するための係止部材を一体的に有する、テレビジョン装置。
【発明の詳細な説明】
【技術分野】
【０００１】
この発明は、表示画面旋回装置およびテレビジョン装置に関し、特に、表示画面部を垂直面に対して所定の角度前後方向に回動可能に支持する表示画面旋回装置およびテレビジョン装置に関する。
【背景技術】
【０００２】
従来、液晶テレビなどの表示画面部を垂直面に対して所定の角度前後方向に回動可能に支持する表示画面支持部材を備えた表示画面旋回装置が知られている（たとえば、特許文献１〜３参照）。
【０００３】
上記特許文献１には、表示部（表示画面部）と、孔（挿入孔）が設けられたスタンド固定板（第２支持部材）と、孔に挿入されるロック軸を有する丸軸状のシャフトが取り付けられ、表示部を支持する表示部固定板（第１支持部材）とを備える表示装置が開示されている。この特許文献１に記載の表示装置では、シャフトが押圧されると、孔に挿入されているロック軸が離脱し、シャフトを軸として表示部固定板が回動可能となるように構成されることによって、表示部を垂直面に対して所定の角度前後方向に回動可能にする。
【０００４】
また、上記特許文献２に開示されているディスプレイ支持装置（表示画面旋回装置）は、丸軸状の軸部が設けられ、表示画面部を垂直面に対して所定の角度前後方向に回動可能に支持する支持脚部（第１支持部材）と、一対の軸支持部が設けられた基台（第２支持部材）と、支持脚部が垂直な状態において支持脚部と当接するように設けられ、表示画面部を垂直面から前方に回動するのを防止するカバー部材とを備え、軸部と支持脚部とが合成樹脂によって一体に成形されているとともに、軸支持部と基台とが合成樹脂によって一体に成形されている。この特許文献２に記載のディスプレイ支持装置では、軸部が軸支持部で回動されることによって、表示画面部を垂直面に対して所定の角度後方に回動可能に支持する。また、特許文献２に記載のディスプレイ支持装置では、カバー部材によって表示画面部を垂直面から前方に回動しないように構成されている。
【０００５】
また、上記特許文献３には、貫通穴（挿入孔）を有し、テレビジョン本体部（表示画面部）を支持する本体側ブラケット（第１支持部材）と、貫通穴（挿入孔）を有し、本体側ブラケットを回動可能に支持するスタンド側ブラケット（第２支持部材）と、それぞれの貫通穴を貫通することによって本体側ブラケットとスタンド側ブラケットとを回動可能に固定する丸軸状のボルトと、ボルトと螺合するナットとを備える液晶テレビジョンが開示されている。この特許文献３に記載の液晶テレビジョンでは、それぞれの貫通穴を貫通する丸軸状のボルトを軸として本体側ブラケットを回動させることによって、テレビジョン本体部を垂直面に対して所定の角度前後方向に回動可能に支持する。
【０００６】
【特許文献１】特開２００７−２９３１５１号公報
【特許文献２】特開２００６−３７３７号公報
【特許文献３】実用新案登録第３１０６１８３号公報
【発明の開示】
【発明が解決しようとする課題】
【０００７】
しかしながら、上記特許文献１に記載の表示装置では、表示部を垂直面に対して所定の角度前後方向に回動可能にするために、表示部固定板およびスタンド固定板とは別個にシャフトを設ける必要があるという不都合がある。このため、部品点数が増加するという問題点がある。
【０００８】
また、上記特許文献２に記載のディスプレイ支持装置では、表示画面部が垂直面から前方に回動するのをカバー部材が防止しているため、表示画面部を垂直面から前方に回動させることができないという問題点がある。また、合成樹脂は一般的に機械的強度が小さいという不都合がある。このため、表示画面部およびディスプレイ支持装置が大型化した際に、ディスプレイ支持装置が破損する場合があるという問題点があると考えられる。
【０００９】
また、上記特許文献３に記載の液晶テレビジョンでは、テレビジョン本体部を垂直面に対して所定の角度前後方向に回動可能にするために、本体側ブラケットおよびスタンド側ブラケットとは別個にボルトおよびナットを設ける必要があるという不都合がある。このため、部品点数が増加するという問題点がある。
【００１０】
この発明は、上記のような課題を解決するためになされたものであり、この発明の１つの目的は、装置本体が破損するのを抑制するとともに、部品点数が増加することを抑制しつつ、表示画面部を垂直面に対して所定の角度前後方向に回動させることが可能な表示画面旋回装置を提供することである。
【課題を解決するための手段および発明の効果】
【００１１】
この発明の第１の局面による表示画面旋回装置は、表示画面部を支持する金属製の第１支持部材と、第１支持部材を垂直面に対して所定の角度前後方向に回動可能に支持する金属製の第２支持部材とを備え、第１支持部材と第２支持部材との一方は、挿入孔を有し、第１支持部材と第２支持部材との他方は、金属製であり、挿入孔に挿入される平板状の支持軸を一体的に有する。また、第１支持部材と第２支持部材とのどちらか一方は、支持軸が挿入孔に挿入された際に、装置使用時における第１支持部材の垂直面に対する前後方向の回動範囲内において、支持軸が挿入孔から離脱するのを抑制するための係止部材を一体的に有する。
【００１２】
この第１の局面による表示画面旋回装置では、上記のように、第１支持部材と第２支持部材との一方は、挿入孔を有し、第１支持部材と第２支持部材との他方は、挿入孔に挿入される平板状の支持軸を有することによって、挿入孔に挿入された平板状の支持軸を回転軸として、第１支持部材を第２支持部材に対して所定の角度前後方向に回動させることができるので、表示画面部を垂直面に対して所定の角度前後方向に回動させることができる。また、第１支持部材、第２支持部材および支持軸を金属製にすることによって、第１支持部材、第２支持部材および支持軸が樹脂製である場合と比べて、機械的強度を大きくすることができるので、表示画面部および表示画面旋回装置が大型化した際に、装置本体が破損することを抑制することができる。また、第１支持部材と第２支持部材との他方が、平板状の支持軸を一体的に有することによって、表示画面部を垂直面に対して所定の角度前後方向に回動させるために支持軸を別途設ける必要がないので、部品点数が増加することを抑制することができる。また、第１支持部材と第２支持部材とのどちらか一方は、支持軸が挿入孔に挿入された際に、装置使用時における第１支持部材の垂直面に対する前後方向の回動範囲内において、支持軸が挿入孔から離脱するのを抑制するための係止部材を一体的に有する。このように構成すれば、支持軸が挿入孔から離脱するのを抑制するための係止部材が設けられることによって、第１支持部材の垂直面に対する前後方向の回動時に、第１支持部材と第２支持部材との係止状態が解除されるのを抑制することができる。また、第１支持部材と第２支持部材とのどちらか一方が係止部材を一体的に有することによって、第１支持部材と第２支持部材とのどちらか一方に、支持軸が挿入孔から離脱するのを抑制するための係止部材を別途設ける必要がないので、部品点数が増加することを抑制することができる。
【００１４】
この場合、好ましくは、第１支持部材は挿入孔を有し、第２支持部材は支持軸および係止部材を一体的に有し、第１支持部材を装置使用時における第１支持部材の垂直面に対する前後方向の回動範囲よりも大きく回動させた場合に、第２支持部材の第１支持部材への係止状態が解除されるように構成されている。このように構成すれば、装置使用時には、第２支持部材の第１支持部材への係止状態を保つことができるとともに、第２支持部材を第１支持部材へ組み付ける際、または、第２支持部材を第１支持部材から取り外す際には、第１支持部材を装置使用時における第１支持部材の垂直面に対する回動範囲よりも大きく回動させることによって、第２支持部材を第１支持部材へ組み付けることができるとともに、第２支持部材を第１支持部材から取り外すことができる。
【００１５】
上記第２支持部材の第１支持部材への係止状態が解除されるように構成されている表示画面旋回装置において、好ましくは、第１支持部材は、第２支持部材の第１支持部材への係止状態が解除される位置まで回動した状態において、係止部材を第１支持部材から離脱させるための切り欠き部をさらに有する。このように構成すれば、第２支持部材を第１支持部材から取り外す際において、第１支持部材の切り欠き部を介して第２支持部材の係止部材を第１支持部材から容易に離脱させることができるので、より容易に、第２支持部材を第１支持部材から取り外すことができる。
【００１６】
上記第２支持部材は支持軸および係止部材を有するように構成されている表示画面旋回装置において、好ましくは、第２支持部材は、板金製であり、支持軸と係止部材とは、折り曲げ加工により第２支持部材に一体的に形成されている。このように構成すれば、通常の板金加工により、容易に、支持軸と係止部材とを有する第２支持部材を得ることができる。
【００１７】
上記第２支持部材は支持軸および係止部材を有するように構成されている表示画面旋回装置において、好ましくは、係止部材は、支持軸を挟み込むように第２支持部材に一対形成されている。このように構成すれば、係止部材が１つのみ設けられている場合と比べて、第１支持部材は第２支持部材に２点で支持されるので、装置使用時において第１支持部材と第２支持部材とががたつくのを抑制することができる。
【００１８】
この発明の第２の局面によるテレビジョン装置は、テレビ映像を表示する表示画面部と、表示画面部を支持する金属製の第１支持部材と、第１支持部材を垂直面に対して所定の角度前後方向に回動可能に支持する金属製の第２支持部材とを備え、第１支持部材と第２支持部材との一方は、挿入孔を有し、第１支持部材と第２支持部材との他方は、金属製であり、挿入孔に挿入される平板状の支持軸を一体的に有する。また、第１支持部材と第２支持部材とのどちらか一方は、支持軸が挿入孔に挿入された際に、装置使用時における第１支持部材の垂直面に対する前後方向の回動範囲内において、支持軸が挿入孔から離脱するのを抑制するための係止部材を一体的に有する。
【００１９】
この発明の第２の局面によるテレビジョン装置では、上記のように、第１支持部材と第２支持部材との一方は、挿入孔を有し、第１支持部材と第２支持部材との他方は、挿入孔に挿入される平板状の支持軸を有することによって、挿入孔に挿入された平板状の支持軸を回転軸として、第１支持部材を第２支持部材に対して所定の角度前後方向に回動させることができるので、表示画面部を垂直面に対して所定の角度前後方向に回動させることができる。また、第１支持部材、第２支持部材および支持軸を金属製にすることによって、第１支持部材、第２支持部材および支持軸が樹脂製である場合と比べて、機械的強度を大きくすることができるので、表示画面部および表示画面旋回装置が大型化した際に、装置本体が破損することを抑制することができる。また、第１支持部材と第２支持部材との他方が、平板状の支持軸を一体的に有することによって、表示画面部を垂直面に対して所定の角度前後方向に回動させるために支持軸を別途設ける必要がないので、部品点数が増加することを抑制することができる。また、第１支持部材と第２支持部材とのどちらか一方は、支持軸が挿入孔に挿入された際に、装置使用時における第１支持部材の垂直面に対する前後方向の回動範囲内において、支持軸が挿入孔から離脱するのを抑制するための係止部材を一体的に有する。このように構成すれば、支持軸が挿入孔から離脱するのを抑制するための係止部材が設けられることによって、第１支持部材の垂直面に対する前後方向の回動時に、第１支持部材と第２支持部材との係止状態が解除されるのを抑制することができる。また、第１支持部材と第２支持部材とのどちらか一方が係止部材を一体的に有することによって、第１支持部材と第２支持部材とのどちらか一方に、支持軸が挿入孔から離脱するのを抑制するための係止部材を別途設ける必要がないので、部品点数が増加することを抑制することができる。
【発明を実施するための最良の形態】
【００２０】
以下、本発明を具体化した実施形態を図面に基づいて説明する。
【００２１】
図１は、本発明の一実施形態による表示画面旋回装置が設けられた液晶テレビジョンの全体構成を示した斜視図である。図２は、図１に示した本発明の一実施形態による表示画面旋回装置が設けられた液晶テレビジョンの分解斜視図である。図３〜図１３は、図１に示した本発明の一実施形態による表示画面旋回装置の詳細構造を示した図である。まず、図１〜図１３を参照して、本発明の一実施形態による表示画面旋回装置２０の構造について説明する。なお、本実施形態では、テレビジョン装置の一例である液晶テレビジョン１００を支持する表示画面旋回装置２０に本発明を適用した場合について説明する。
【００２２】
本発明の一実施形態による表示画面旋回装置２０は、図１に示すように、表示画面支持機構８０によって支持されている液晶テレビジョン１００のディスプレイ本体１０を水平面内で左右方向（矢印Ａ方向およびＢ方向）に所定の角度旋回させることを可能とするために設けられているとともに、垂直面に対して前後方向（矢印Ｃ方向およびＤ方向）に所定の角度傾けることを可能とするために設けられている。なお、ディスプレイ本体１０は、本発明の「表示画面部」の一例である。
【００２３】
また、表示画面旋回装置２０は、図３に示すように、ディスプレイ本体１０（図２参照）を支持する表示画面支持機構８０と、表示画面支持機構８０によって支持されているディスプレイ本体１０（図２参照）を水平面内で左右方向（図１の矢印Ａ方向およびＢ方向）に旋回させるための台座部３０と、台座部３０に配置された後述する旋回板３１を左右方向に旋回させるとともに旋回板３１の旋回角度を制御する水平旋回駆動部４０と、表示画面支持機構８０によって支持されているディスプレイ本体１０を垂直面に対して前後方向（図１の矢印Ｃ方向およびＤ方向）に所定の角度だけ旋回させるとともに表示画面支持機構８０の旋回角度を制御する垂直旋回駆動部５０とから構成されている。
【００２４】
表示画面支持機構８０は、図４および図５に示すように、板金製の表示画面支持部材８１と、板金製の一対の垂直支持部材８２と、後述するラックプレート６０のラックギア６３（図４参照）と噛合するように配置された、樹脂製の回動ギア８３とから構成されている。なお、表示画面支持部材８１および垂直支持部材８２は、それぞれ本発明の「第１支持部材」および「第２支持部材」の一例である。また、表示画面支持部材８１は、一対の垂直支持部材８２に所定のトルク以上で回動可能となるように取り付けられている。
【００２５】
また、表示画面支持部材８１は、図８に示すように、上方向（矢印Ｚ１方向）に延びるように一対設けられたディスプレイ本体取付部８１ａと、表示画面支持部材８１の矢印Ｙ１方向および矢印Ｙ２方向のそれぞれの側面に設けられた一対の回動部８１ｂとを一体的に含んでいる。また、一対のディスプレイ本体取付部８１ａには、それぞれネジ挿入孔８１ｃが形成されている。
【００２６】
ここで、本実施形態では、図６〜図８に示すように、表示画面支持部材８１の一対の回動部８１ｂは、ディスプレイ本体取付部８１ａの両側端部から、それぞれ、ディスプレイ本体取付部８１ａに対して垂直方向（矢印Ｘ１方向および矢印Ｘ２方向）に延びるように設けられている。また、回動部８１ｂは、矢印Ｙ１方向および矢印Ｙ２方向の厚みｔ１（図８参照）を有している。また、図７に示すように、一対の回動部８１ｂの矢印Ｘ１方向側には、矢印Ｘ２方向に向かって凹形状を有する切り欠き部８１ｄがそれぞれ形成されているとともに、一対の回動部８１ｂの矢印Ｘ２方向側には、矢印Ｘ２方向に向かって凸形状を有する突出片８１ｅがそれぞれ形成されている。
【００２７】
また、本実施形態では、図４〜図７に示すように、一対の回動部８１ｂには、一対の回動部８１ｂの回動中心部近傍であり、かつ、切り欠き部８１ｄと突出片８１ｅとに挟まれるように扇形状の穴部８１ｆがそれぞれ形成されている。なお、穴部８１ｆは、本発明の「挿入孔」の一例である。穴部８１ｆは、図４〜図６に示すように、後述する支持軸８２ｄを挿入するために設けられている。また、扇形状の穴部８１ｆは、図７に示すように、円心側の根元部８１ｇが上側に位置するように配置されているとともに、図４に示すように、円心側の根元部８１ｇが支持軸８２ｄの後述する上面８２ｆと当接される。これにより、扇形状の穴部８１ｆの根元部８１ｇが表示画面支持部材８１を介してディスプレイ本体１０（図２参照）の垂直荷重を受けるように構成されている。また、表示画面支持部材８１は、平板状の支持軸８２ｄに支持された扇形状の穴部８１ｆの根元部８１ｇを中心にして、支持軸８２ｄに対して扇形状の角度範囲で回動可能に構成されている。
【００２８】
また、図６および図８に示すように、表示画面支持部材８１には、ディスプレイ本体取付部８１ａから下方向（矢印Ｚ２方向）に延びるように設けられた胴部８１ｈが一体的に形成されている。また、胴部８１ｈの下端には、胴部８１ｈに対して垂直方向（矢印Ｘ１方向および矢印Ｘ２方向）に延びるように設けられた下面部８１ｉが形成されている。この下面部８１ｉは、胴部８１ｈと一体的に形成されている。また、図６に示すように、下面部８１ｉの中央部には、回動ギア８３と表示画面支持部材８１とを固定するためのネジ９０が挿入されるネジ挿入孔８１ｊが形成されている。さらに、ネジ挿入孔８１ｊを挟むように矢印Ｘ１方向および矢印Ｘ２方向に沿って、一対のボス挿入孔８１ｋがそれぞれ形成されている。この一対のボス挿入孔８１ｋには、回動ギア８３の後述する一対のボス８３ｂがそれぞれ挿入されるように構成されている。
【００２９】
また、一対の垂直支持部材８２は、図５に示すように、表示画面支持部材８１の内側から外側に向かって後述する支持軸８２ｄが表示画面支持部材８１の穴部８１ｆに挿入されるようにそれぞれ配置されている。具体的には、表示画面支持部材８１の矢印Ｙ１方向側の回動部８１ｂに取り付けられる垂直支持部材８２は、矢印Ｙ１方向側の回動部８１ｂの矢印Ｙ２方向側の面に接するように配置されている。また、表示画面支持部材８１の矢印Ｙ２方向側の回動部８１ｂに取り付けられる垂直支持部材８２は、矢印Ｙ２方向側の回動部８１ｂの矢印Ｙ１方向側の面に接するように配置されている。
【００３０】
また、一対の垂直支持部材８２は、図６に示すように、鏡像対称となっている。したがって、表示画面支持部材８１の矢印Ｙ２方向側の回動部８１ｂに取り付けられる垂直支持部材８２について説明する。
【００３１】
垂直支持部材８２は、図６および図９に示すように、旋回板取付部８２ａと、回動部取付部８２ｂとを含んでいる。また、垂直支持部材８２の旋回板取付部８２ａは、図６および図１０に示すように、垂直支持部材８２の下部に矢印Ｙ１方向に延びるように設けられ、旋回板取付部８２ａには旋回板３１に固定するためのネジ取付孔８２ｃが形成されている。また、垂直支持部材８２の回動部取付部８２ｂは、旋回板取付部８２ａの矢印Ｙ２側の端部から旋回板取付部８２ａに対して垂直方向の上方（矢印Ｚ１方向）に延びるように設けられている。また、図１０に示すように、回動部取付部８２ｂは、矢印Ｙ１方向および矢印Ｙ２方向の厚みｔ２を有している。
【００３２】
ここで、本実施形態では、図９に示すように、回動部取付部８２ｂの上部は、半円形状を有している。また、回動部取付部８２ｂの上部の半円の中心近傍で、かつ、垂直支持部材８２の矢印Ｘ１方向および矢印Ｘ２方向における中心から上下方向（矢印Ｚ１方向および矢印Ｚ２方向）に延びる中心線上に、支持軸８２ｄが形成されている。この支持軸８２ｄは、図１０に示すように、矢印Ｙ２方向に延びるように設けられており、上下方向（矢印Ｚ１方向および矢印Ｚ２方向）に長い平板形状を有している。また、支持軸８２ｄは、板金製の垂直支持部材８２の一部を曲げ起こすことにより垂直支持部材８２と一体的に形成されている。垂直支持部材８２の曲げ起こされた箇所には、図９に示すように、穴部８２ｅが形成されている。
【００３３】
また、図４〜図６に示すように、支持軸８２ｄは、回動部８１ｂの扇形状の穴部８１ｆに挿入するために設けられている。具体的には、支持軸８２ｄは、図４に示すように、支持軸８２ｄの上面８２ｆが扇形状の穴部８１ｆの根元部８１ｇと当接されるように構成されている。これにより、支持軸８２ｄは、上面８２ｆにおいて扇形状の穴部８１ｆの根元部８１ｇおよび表示画面支持部材８１を介してディスプレイ本体１０（図２参照）の垂直荷重を受けるように構成されている。また、表示画面支持部材８１は、平板状の支持軸８２ｄに支持された扇形状の穴部８１ｆの根元部８１ｇを中心にして、支持軸８２ｄに対して扇形状の穴部８１ｆの角度範囲で回動可能に構成されている。すなわち、平板状の支持軸８２ｄは、表示画面支持部材８１の回動軸として機能する。これにより、表示画面支持部材８１は、ディスプレイ本体１０を表示画面旋回装置２０の垂直面に対して前後方向（矢印Ｃ方向およびＤ方向）に回動可能とするように構成されている。
【００３４】
また、本実施形態では、図９に示すように、回動部取付部８２ｂの支持軸８２ｄから矢印Ｘ１方向側の側面に、フック８２ｇが垂直支持部材８２と一体的に形成されている。このフック８２ｇは、板金製の垂直支持部材８２の一部を曲げ起こすことにより形成されている。なお、フック８２ｇは、本発明の「係止部材」の一例である。具体的には、図１１に示すように、フック８２ｇは、矢印Ｘ１方向側の側面（図９参照）から回動部取付部８２ｂと垂直な矢印Ｙ２方向に延びるように形成されている。ここで、フック８２ｇの係止部分と回動部取付部８２ｂとの間隔Ｌ１は、表示画面支持部材８１の回動部８１ｂの厚みｔ１よりも若干大きい。さらに、フック８２ｇには、上方（矢印Ｚ１方向）に延びた後に、図９に示すように、矢印Ｘ２方向に延びる係止部８２ｈが形成されている。これにより、図１１に示すように、フック８２ｇと回動部取付部８２ｂとの間に、隙間８２ｉが形成される。この隙間８２ｉは、表示画面支持部材８１の穴部８１ｆに回動部取付部８２ｂの支持軸８２ｄを挿入した状態において、表示画面支持部材８１を回動可能に挟み込むように構成されている。これによって、支持軸８２ｄが穴部８１ｆから矢印Ｙ１方向に離脱するのを抑制することにより、垂直支持部材８２が表示画面支持部材８１から離脱するのを抑制するように構成されている。
【００３５】
また、図９に示すように、回動部取付部８２ｂの支持軸８２ｄから矢印Ｘ２方向側の側面に、フック８２ｊが垂直支持部材８２と一体的に形成されている。このフック８２ｊは、板金製の垂直支持部材８２の一部を曲げ起こすことにより形成されている。なお、フック８２ｊは、本発明の「係止部材」の一例である。具体的には、図１２に示すように、フック８２ｊには、矢印Ｘ２方向側の側面（図９参照）から回動部取付部８２ｂと垂直な矢印Ｙ２方向に延びるように当接部８２ｋが形成されている。ここで、フック８２ｊの係止部分と回動部取付部８２ｂとの間隔Ｌ２は、表示画面支持部材８１の回動部８１ｂの厚みｔ１よりも若干大きい。さらに、フック８２ｊには、当接部８２ｋの回動部取付部８２ｂと反対側（矢印Ｙ２方向側）に上方（矢印Ｚ１方向）に延びるように係止部８２ｌが形成されている。ここで、表示画面支持部材８１の穴部８１ｆに回動部取付部８２ｂの支持軸８２ｄを挿入した状態において、表示画面支持部材８１が垂直面に対して矢印Ｄ方向（図４参照）に所定の角度回動した際に、表示画面支持部材８１の回動部８１ｂの突出片８１ｅが当接部８２ｋに当接するように構成されている。また、係止部８２ｌは、表示画面支持部材８１の穴部８１ｆに回動部取付部８２ｂの支持軸８２ｄを挿入した状態において、回動部取付部８２ｂとともに表示画面支持部材８１を回動可能に挟み込むように構成されている。これによって、支持軸８２ｄが穴部８１ｆから矢印Ｙ１方向に離脱するのを抑制することにより、垂直支持部材８２が表示画面支持部材８１から離脱するのを抑制することができるように構成されている。
【００３６】
また、図１３に示すように、フック８２ｇとフック８２ｊとは、回動部取付部８２ｂの支持軸８２ｄを矢印Ｘ１方向および矢印Ｘ２方向において挟み込むように形成されている。
【００３７】
また、表示画面旋回装置２０の使用時における表示画面支持部材８１の垂直面に対する前後方向（図１の矢印Ｃ方向およびＤ方向）の回動範囲よりも大きく回動した場合に、垂直支持部材８２のフック８２ｇの係止部８２ｈは、表示画面支持部材８１の回動部８１ｂの切り欠き部８１ｄから矢印Ｙ１方向（図６参照）へ離脱可能なように構成されている。さらに、垂直支持部材８２のフック８２ｊの係止部８２ｋと回動部取付部８２ｂとによる回動部８１ｂの突出片８１ｅの矢印Ｙ１方向および矢印Ｙ２方向（図６参照）への移動の規制が解除されることにより、垂直支持部材８２のフック８２ｊは、矢印Ｙ１方向へ移動可能なように構成されている。これらにより、表示画面旋回装置２０の使用時における表示画面支持部材８１の垂直面に対する回動範囲よりも大きく回動した場合に、垂直支持部材８２の表示画面支持部材８１への係止状態が解除されるように構成されている。
【００３８】
また、図９に示すように、回動部取付部８２ｂの矢印Ｙ２方向側（図６参照）の面には、支持軸８２ｄの略中心を中心としてリング状の突出部８２ｍが形成されている。この突出部８２ｍは、図６に示すように、表示画面支持部材８１の穴部８１ｆに回動部取付部８２ｂの支持軸８２ｄを挿入した状態において、表示画面支持部材８１が垂直面に対して前後方向（図１の矢印Ｃ方向および矢印Ｄ方向）に回動した際に、表示画面支持部材８１の回動部８１ｂの矢印Ｙ１方向側の面と接するように構成されている。これにより、表示画面支持部材８１の回動部８１ｂと回動部取付部８２ｂとの接触面積を小さくすることによって、回動部８１ｂと回動部取付部８２ｂとの間に働く摩擦力を軽減するように構成されている。これにより、表示画面支持部材８１を垂直面に対して前後方向に回動させる際に、垂直旋回駆動部５０、ラックギア６３および回動ギア８３に掛かる負担を軽減することが可能である。
【００３９】
また、回動ギア８３は、図５に示すように、ラックプレート６０のラックギア６３の上方から噛合するように配置されているとともに、表示画面支持部材８１の下面部８１ｉの略中心に配置されている。さらに、ラックギア６３と回動ギア８３とは、旋回板３１および表示画面支持部材８１の左右方向（図６の矢印Ｇ１方向および矢印Ｇ２方向）の回動中心線上に位置している。また、図６に示すように、回動ギア８３の上面８３ａには、表示画面支持部材８１の一対のボス挿入孔８１ｋに挿入される一対のボス８３ｂが形成されている。また、一対のボス８３ｂの間の中央部には、ネジ９０が螺合するネジ孔８３ｃが形成されている。このネジ孔８３ｃは、表示画面支持部材８１のネジ挿入孔８１ｊと対応するように形成されている。
【００４０】
また、図６に示すように、回動ギア８３の下面８３ｄには、側方から見て、下方に向かって凸形状で、かつ、円弧状の形状を有するように歯面が形成されている。これにより、水平面内において、ラックギア６３と回動ギア８３との噛合方向である矢印Ｓ方向および矢印Ｔ方向（図３参照）と垂直な方向に、回動ギア８３はラックギア６３に対してスライド移動可能なように構成されている。また、図５に示すように、回動ギア８３の上面８３ａは、ネジ９０によって表示画面支持部材８１の下面部８１ｉに固定されている。これにより、回動ギア８３は、表示画面支持部材８１に対して固定されるので、表示画面支持部材８１の水平面内での回動が、回動ギア８３を介して、回動ギア８３と噛合しているラックギア６３に伝えられるように構成されている。
【００４１】
また、台座部３０は、図４および図５に示すように、表示画面支持機構８０が取り付けられる板金製の旋回板３１と、内部に複数の鋼球３２を所定の間隔で配置するとともに鋼球３２を回転可能に保持する樹脂製のガイド部材３３と、板金製のベース部材３４と、旋回板３１をベース部材３４上で回動可能に支持する金属製の支持部材（図示せず）と、後述するギア４５およびギア５５の回動軸が回動可能に挿入されるとともに、垂直旋回駆動部５０のラックプレート６０が水平面内で往復動可能に挿入される樹脂製のボス部材３５と、ボス部材３５に挿入されるラックプレート６０の抜止用リング部材３６とから構成されている。
【００４２】
また、台座部３０の旋回板３１は、図５および図６に示すように、上面３１ａに設けられた４つのネジ取付孔３１ｂと、上面３１ａの中心部（旋回板３１の回動中心点近傍）に設けられた孔３１ｃとを含んでいる。また、図３に示すように、旋回板３１は、ベース部材３４の実質的に中央部に配置されるとともに、水平面内を回動可能なように配置されている。また、図５に示すように、旋回板３１を円形状に取り囲むようにベース部材３４に設けられた複数の支持部材（図示せず）が、旋回板３１の外周面３１ｄと、ガイド部材３３の外周面３３ａとに面接触することによって、旋回板３１は水平面内を回動可能に保持されている。
【００４３】
また、垂直旋回駆動部５０は、図３および図５に示すように、複数のギア部材からなる伝達ギア部５１と、伝達ギア部５１の駆動源となるステッピングモータ５２と、台座部３０の旋回板３１上に取り付けられた表示画面支持機構８０に回動可能に設けられた表示画面支持部材８１を垂直面に対して前後方向（図１の矢印Ｃ方向およびＤ方向）に回動させるためのラックプレート６０とから構成されている。
【００４４】
また、伝達ギア部５１は、図３に示すように、樹脂製のギア５３と、トルクリミッタ７０と、樹脂製のギア５４とが樹脂製のギアボックス５６の内部に配置されるとともに、ギアボックス５６の外部に樹脂製のギア５５が配置されるように構成されている。また、樹脂製のギア５３は、大径ギア部５３ａと、小径ギア部５３ｂとを一体的に含んでいる。また、樹脂製のギア５４は、大径ギア部５４ａと、小径ギア部５４ｂとを一体的に含んでいる。また、樹脂製のギア５５は、大径ギア部５５ａと、小径ギア部５５ｂとを一体的に含んでいる。
【００４５】
また、図３および図５に示すように、ステッピングモータ５２の回転軸には、樹脂製のウォームギア５７が圧入されている。また、ウォームギア５７は、ギア５３の大径ギア部５３ａに対して回転軸が直交するように噛合されている。したがって、ステッピングモータ５２によって発生した駆動力は、ウォームギア５７を介してギア５３へと伝達される一方、ギア５３側およびギア５３以降のギア群によって発生した駆動力は、ウォームギア５７およびステッピングモータ５２を回転させることができないように構成されている。つまり、ウォームギア５７によってステッピングモータ５２側が発生する駆動力のみが、伝達ギア部５１へと伝達されるように構成されている。
【００４６】
また、図３に示すように、ギア５３の小径ギア部５３ｂは、トルクリミッタ７０の原動側ギア７２に噛合されている。また、トルクリミッタ７０の従動側ギア７１は、ギア５４の大径ギア部５４ａに噛合されているとともに、ギア５４の小径ギア部５４ｂは、ギア５５の大径ギア部５５ａに噛合されている。また、ギア５５の小径ギア部５５ｂは、ラックギア６２のギア部６２ａに水平に噛合されている。したがって、ステッピングモータ５２の駆動力が、ウォームギア５７、ギア５３、トルクリミッタ７０、ギア５４、ギア５５およびラックギア６２を介してラックプレート６０へと伝達されるように構成されている。
【００４７】
また、ラックプレート６０は、図５に示すように、板金製のプレート部材６１と、樹脂製のラックギア６２および６３とから構成されている。また、ラックギア６２は、１つのネジ９０によってプレート部材６１の下面側に取り付けられている。また、ラックギア６２は、図３に示すように、後述するギア５５の小径ギア部５５ｂに対して水平方向に噛合するように構成されている。
【００４８】
また、プレート部材６１は、図５に示すように、プレート部材６１の長手方向の両端部近傍に、プレート部材６１の長手方向に沿って延びる長孔６１ａおよび６１ｂがそれぞれ形成されているとともに、プレート部材６１の実質的に中央部に、ラックギア６３の突出部６３ａが挿入される円状の挿入孔６１ｃが形成されている。さらに、プレート部材６１は、２つの位置決め孔６１ｄと、ネジ取付孔６１ｅとを有している。
【００４９】
また、ラックギア６２は、図５に示すように、長手方向の矢印Ｙ１方向の側面部に沿ってギア部６２ａが形成されるとともに、２つのボス６２ｂおよび１つのネジ挿入孔６２ｃが形成されている。したがって、ラックギア６２のボス６２ｂをプレート部材６１の位置決め孔６１ｄにはめ込むとともに、ネジ９０をラックギア６２のネジ挿入孔６２ｃを介してプレート部材６１のネジ取付孔６１ｅに締め込むことによって、ラックギア６２をプレート部材６１に下方から取り付けることが可能なように構成されている。
【００５０】
また、ラックギア６３は、図５に示すように、プレート部材６１に配置される矢印Ｚ１方向側の面である表面に、複数の歯先を有する歯面６３ｂが、平坦面状に形成されている。また、ラックギア６３の矢印Ｚ２方向側の面である裏面６３ｃの実質的に中央部には、プレート部材６１の挿入孔６１ｃに挿入可能なリング状の突出部６３ａが形成されている。これにより、プレート部材６１の挿入孔６１ｃに突出部６３ａを挿入した状態において、歯面６３ｂは水平面状（平坦面状）になるように構成されているとともに、プレート部材６１に対して矢印Ｈ１方向および矢印Ｈ２方向（図３参照）に回動可能なように構成されている。
【００５１】
また、図３および図４に示すように、ラックプレート６０が、プレート部材６１の長孔６１ａおよび６１ｂを介して一対のボス部材３５にそれぞれ挿入された際に、ラックプレート６０は、矢印Ｐ方向および矢印Ｑ方向に直線状に往復移動可能なように構成されている。したがって、ラックプレート６０は、ステッピングモータ５２の正逆回転が伝達ギア部５１を介してラックギア６２まで伝達されることによって、旋回板３１上を矢印Ｐ方向および矢印Ｑ方向に直線状に往復移動することが可能なように構成されている。
【００５２】
また、水平旋回駆動部４０は、図３および図５に示すように、台座部３０上の旋回板３１を水平面内で左右方向（図１の矢印Ａ方向およびＢ方向）に回動させるための伝達ギア部４１と、伝達ギア部４１の駆動源となるステッピングモータ４２とから構成されている。また、水平旋回駆動部４０は、図３に示すように、台座部３０の内部に配置されるように構成されている。また、伝達ギア部４１は、樹脂製のギア４３と、トルクリミッタ７５と、樹脂製のギア４４とが樹脂製のギアボックス４６の内部に配置されるとともに、ギアボックス４６の外部に樹脂製のギア４５が配置されるように構成されている。
【００５３】
また、図３および図５に示すように、ステッピングモータ４２の回転軸には、樹脂製のウォームギア４７が圧入されている。また、図３に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。さらに、ギア４５は、大径ギア部４５ａと、小径ギア部４５ｂとを一体的に含んでいる。また、樹脂製の旋回ギア部材４８が、４つのネジ９０によって台座部３０の旋回板３１の上面３１ａに固定されている。
【００５４】
また、ウォームギア４７は、ギア４３の大径ギア部４３ａに対して回転軸が直交するように噛合されているとともに、ギア４３の小径ギア部４３ｂは、トルクリミッタ７５の原動側ギア７７に噛合されている。また、トルクリミッタ７５の従動側ギア７６は、ギア４４の大径ギア部４４ａに噛合されているとともに、ギア４４の小径ギア部４４ｂは、ギア４５の大径ギア部４５ａに噛合されている。また、ギア４５の小径ギア部４５ｂは、旋回ギア部材４８の旋回ギア部４８ａに噛合されている。したがって、ステッピングモータ４２の駆動力が、ウォームギア４７、ギア４３、トルクリミッタ７５、ギア４４、ギア４５および旋回ギア部材４８を介して旋回板３１へと伝達されるように構成されている。
【００５５】
また、伝達ギア部５１および４１の中に組み込まれているトルクリミッタ７０および７５は、ステッピングモータ５２および４２の駆動力が所定のトルク値以下の場合に、ステッピングモータ５２および４２の駆動力を伝達ギア部５１および４１に伝達するとともに、ステッピングモータ５２および４２の駆動力が所定のトルク値以上となった場合は、ステッピングモータ５２および４２の駆動力を伝達ギア部５１および４１に伝達させないような機能を有するように構成されている。
【００５６】
また、図１および図２に示すように、ディスプレイ本体１０は、樹脂製のフロントキャビネット１１と、樹脂製のリアキャビネット１２とから構成されている。また、ディスプレイ本体１０は、表示画面支持部材８１のネジ挿入孔８１ｃ（図５参照）を介して、リアキャビネット１２のネジ取付孔（図示せず）にネジ９０が締め付けられることにより、表示画面支持部材８１に取り付けられている。また、リアキャビネット１２には、表示画面支持部材８１を覆い隠して配置するための切欠部１２ａが一体的に設けられている。また、リアキャビネット１２の外周部には、複数のネジ挿入孔１２ｂが設けられ、ネジ９１によってフロントキャビネット１１に取り付けられるように構成されている。
【００５７】
また、表示画面旋回装置２０には、図４に示すように、樹脂製のカバー部材２１が、台座部３０のベース部材３４の下面側から挿入されたネジ（図示せず）によってベース部材３４に取り付けられている。また、図１および図４に示すように、樹脂製のカバー部材２２が上方から台座部３０を覆うとともに、台座部３０の旋回板３１と一体的に水平方向（図１の矢印Ａ方向およびＢ方向）に旋回することが可能なように旋回板３１の上面３１ａにネジ（図示せず）によって取り付けられている。また、図２および図４に示すように、樹脂製のカバー部材２２には、表示画面支持部材８１を前後方向（図１の矢印Ｃ方向およびＤ方向）に回動可能に配置するための切欠部２２ａが設けられている。
【００５８】
図１４は、本発明の一実施形態による表示画面支持部材と垂直支持部材との組み立ておよび取り外しを説明するための図である。次に、図５および図１４を参照して、本発明の一実施形態による表示画面支持部材８１と矢印Ｙ２方向側の回動部８１ｂに取り付けられる垂直支持部材８２との組み立ておよび取り外しについて説明する。
【００５９】
垂直支持部材８２を表示画面支持部材８１に組み付ける際には、表示画面旋回装置２０の使用時における表示画面支持部材８１の垂直面に対する矢印Ｃ方向への回動範囲の限界を超えて、図１４に示すように、表示画面支持部材８１を矢印Ｃ方向へ回動させる。これにより、垂直支持部材８２のフック８２ｇの係止部８２ｈと表示画面支持部材８１の回動部８１ｂの切り欠き部８１ｄとが対応し、フック８２ｇの係止部８２ｈは、回動部８１ｂの切り欠き部８１ｄから組み付け可能な状態になる。さらに、表示画面支持部材８１の回動部８１ｂの突出片８１ｅには、垂直支持部材８２のフック８２ｊの係止部８２ｌによる、矢印Ｙ１方向および矢印Ｙ２方向（図５参照）への移動の規制がない。これにより、回動部８１ｂの穴部８１ｆに回動部取付部８２ｂの支持軸８２ｄを挿入されるように配置される。
【００６０】
そして、表示画面支持部材８１を矢印Ｄ方向へ回動させる。これにより、図５に示すように、フック８２ｇの係止部８２ｈは、回動部８１ｂの切り欠き部８１ｄから離脱できない状態になるとともに、フック８２ｊの係止部８２ｌによって、回動部８１ｂの突出片８１ｅは、矢印Ｙ１方向および矢印Ｙ２方向への移動が規制される状態になる。この結果、垂直支持部材８２は表示画面支持部材８１に組み付けられる。
【００６１】
また、垂直支持部材８２を表示画面支持部材８１から取り外す際には、表示画面旋回装置２０の使用時における表示画面支持部材８１の垂直面に対する矢印Ｃ方向への回動範囲の限界を超えて、図１４に示すように、表示画面支持部材８１を矢印Ｃ方向へ回動させる。これにより、フック８２ｇの係止部８２ｈと回動部８１ｂの切り欠き部８１ｄとが対応し、フック８２ｇの係止部８２ｈは、回動部８１ｂの切り欠き部８１ｄから離脱可能な状態になる。さらに、回動部８１ｂの突出片８１ｅは、フック８２ｊの係止部８２ｌによる、矢印Ｙ１方向および矢印Ｙ２方向（図５参照）への移動の規制が解除される。これにより、垂直支持部材８２は、矢印Ｙ２方向および矢印Ｙ１方向へそれぞれ移動可能な状態になる。これらにより、垂直支持部材８２は表示画面支持部材８１から取り外される。
【００６２】
図１５〜図１７は、図１に示した本発明の一実施形態による表示画面旋回装置の垂直方向および水平方向の旋回動作を説明するための図である。次に、図１、図３〜図５および図１５〜図１７を参照して、本発明の一実施形態による表示画面旋回装置２０の前後方向および左右方向の旋回動作について説明する。
【００６３】
なお、図４に示すように、表示画面旋回装置２０が表示画面支持機構８０を垂直面に対して前後方向（矢印Ｃ方向および矢印Ｄ方向）に回動させた場合、図１に示すディスプレイ本体１０は、上向き方向および下向き方向に回動されるので、以降の動作説明では、前後方向を上向きおよび下向き方向として記述する。
【００６４】
まず、表示画面旋回装置２０の上向きおよび下向き方向（図１の矢印Ｃ方向および矢印Ｄ方向）の旋回動作について説明する。
【００６５】
まず、ユーザが付属リモコン（図示せず）の上方向チルトボタン（図示せず）を押圧することによって、ディスプレイ本体１０（図１参照）を上向き方向（図１の矢印Ｃ方向）に旋回させる信号がディスプレイ本体１０の制御回路部（図示せず）に送信される。この信号に基づいて、表示画面旋回装置２０のステッピングモータ５２が駆動される。具体的には、図３に示すように、ステッピングモータ５２が駆動するのに伴って、ステッピングモータ５２に取り付けられたウォームギア５７が回転するとともに、ギア５３を介してトルクリミッタ７０の原動側ギア７２が矢印Ｅ１方向に回転する。そして、トルクリミッタ７０の従動側ギア７１が同じく矢印Ｅ１方向に回転するとともに、ギア５４を介してギア５５が矢印Ｅ２方向に回転する。これにより、ギア５５の矢印Ｅ２方向への回転に伴い、ギア５５に対して水平方向に噛合するラックギア６２とともにラックプレート６０のプレート部材６１が矢印Ｐ方向に移動する。
【００６６】
ここで、図１５に示すように、プレート部材６１が矢印Ｐ方向に移動することにより、ラックギア６３も、プレート部材６１に伴って矢印Ｓ方向に移動される。これにより、ラックギア６３が矢印Ｓ方向に移動されると、ラックギア６３と噛合している回動ギア８３が、噛合状態を維持したまま、矢印Ｃ方向に回動される。この結果、表示画面支持部材８１は、所定の回転速度で上向き方向（矢印Ｃ方向）へ旋回される。その際、表示画面支持部材８１の扇状の穴部８１ｆの根元部８１ｇと垂直支持部材８２の支持軸８２ｄの上面８２ｆとが当接しながら、表示画面支持部材８１は、支持軸８２ｄの上面８２ｆを回動中心として回動する。
【００６７】
そして、ディスプレイ本体１０（図１参照）が、ユーザが所望する角度まで矢印Ｃ方向に旋回された場合、ユーザは付属リモコン（図示せず）の上方向チルトボタン（図示せず）の押圧を解除することによって、ディスプレイ本体１０を上向き方向（矢印Ｃ方向）に旋回させる信号がディスプレイ本体１０の制御回路部（図示せず）に送信されなくなり、ステッピングモータ５２の駆動が停止される。これにより、表示画面支持部材８１は、矢印Ｃ方向への旋回を停止するとともに静止される。
【００６８】
ここで、本実施形態では、ディスプレイ本体１０（図１参照）の上向き方向（矢印Ｃ方向）への旋回動作がユーザによって継続されている状態において、図１５に示すように、矢印Ｐ方向にスライドされたラックプレート６０が、プレート部材６１の長孔６１ａおよび６１ｂの内側面の一方端部がボス部材３５の側面にそれぞれ当接されることによって、ラックプレート６０は、矢印Ｐ方向へのスライドが規制される。したがって、ディスプレイ本体１０は、矢印Ｃ方向への旋回を停止するとともに静止される。この際、表示画面支持部材８１は所定の旋回角度に到達される。この所定の旋回角度が、表示画面旋回装置２０の使用時における表示画面支持部材８１の垂直面に対する矢印Ｃ方向への回動範囲の限界となる。
【００６９】
また、本実施形態では、図１５に示すように、表示画面旋回装置２０の使用時における表示画面支持部材８１の垂直面に対する矢印Ｃ方向への回動範囲の限界においては、表示画面支持部材８１の回動部８１ｂの切り欠き部８１ｄが、垂直支持部材８２のフック８２ｇの係止部８２ｈと対応する位置には位置しておらず、フック８２ｇの係止部８２ｈは、回動部８１ｂの切り欠き部８１ｄから離脱することはできない。この場合、矢印Ｙ１方向側および矢印Ｙ２方向側に設けられている垂直支持部材８２のフック８２ｊの係止部８２ｋによって、回動部８１ｂの突出片８１ｅは、矢印Ｙ１方向および矢印Ｙ２方向（図５参照）への移動が規制されている。これらにより、表示画面旋回装置２０の使用時における表示画面支持部材８１の垂直面に対する矢印Ｃ方向への回動範囲において、一対の垂直支持部材８２の表示画面支持部材８１への係止状態は保たれる。
【００７０】
この際、ステッピングモータ５２（図３参照）は駆動を継続しているが、ステッピングモータ５２の駆動力が所定のトルク値以上となった場合は、ステッピングモータ５２の駆動力は伝達ギア部５１に伝達されない。このため、ラックプレート６０の矢印Ｐ方向への移動（スライド）が停止した場合には、ステッピングモータ５２の駆動に関係なく回転が停止される。
【００７１】
また、ユーザが付属リモコン（図示せず）の下方向チルトボタン（図示せず）を押圧することによって、ディスプレイ本体１０（図１参照）を下向き方向（図１の矢印Ｄ方向）に旋回させる信号がディスプレイ本体１０の制御回路部（図示せず）に送信されるとともに、表示画面旋回装置２０のステッピングモータ５２が駆動される。そして、ステッピングモータ５２に取り付けられたウォームギア５７が回転するとともに、図３に示すように、ギア５３を介してトルクリミッタ７０の原動側ギア７２が矢印Ｆ１方向に回転する。そして、トルクリミッタ７０の従動側ギア７１が矢印Ｆ１方向に回転するとともに、ギア５４を介してギア５５が矢印Ｆ２方向に回転する。そして、ラックギア６２とともにラックプレート６０が矢印Ｑ方向に移動される。
【００７２】
ここで、図１６に示すように、プレート部材６１が矢印Ｑ方向に移動することにより、ラックギア６３も、プレート部材６１に伴って矢印Ｔ方向に移動される。これにより、ラックギア６３が矢印Ｔ方向に移動されると、ラックギア６３と噛合している回動ギア８３が、噛合状態を維持したまま、矢印Ｄ方向に回動される。この結果、表示画面支持部材８１は、所定の回転速度で下向き方向（矢印Ｄ方向）へ旋回される。その際、表示画面支持部材８１の扇状の穴部８１ｆの根元部８１ｇと垂直支持部材８２の支持軸８２ｄの上面８２ｆとが当接しながら、表示画面支持部材８１は、支持軸８２ｄの上面８２ｆを回動中心として回動する。
【００７３】
そして、ディスプレイ本体１０（図１参照）が、ユーザが所望する角度まで矢印Ｄ方向に旋回された場合、ユーザは付属リモコン（図示せず）の下方向チルトボタン（図示せず）の押圧を解除することによって、ディスプレイ本体１０を下向き方向（矢印Ｄ方向）に旋回させる信号がディスプレイ本体１０の制御回路部（図示せず）に送信されなくなり、ステッピングモータ５２の駆動が停止される。これにより、表示画面支持部材８１は、矢印Ｄ方向への旋回を停止するとともに静止される。
【００７４】
ここで、本実施形態では、ディスプレイ本体１０（図１参照）の下向き方向（矢印Ｄ方向）への旋回動作がユーザによって継続されている状態において、図１６に示すように、矢印Ｑ方向にスライドされたラックプレート６０が、プレート部材６１の長孔６１ａおよび６１ｂの内側面の他方端部がボス部材３５の側面にそれぞれ当接されることによって、ラックプレート６０は、矢印Ｑ方向へのスライドが規制される。したがって、ディスプレイ本体１０は、矢印Ｄ方向への旋回を停止するとともに静止される。この際、表示画面支持部材８１は所定の旋回角度に到達される。この所定の旋回角度が、表示画面旋回装置２０の使用時における表示画面支持部材８１の垂直面に対する矢印Ｄ方向への回動範囲の限界となる。
【００７５】
また、本実施形態では、図１６に示すように、表示画面旋回装置２０の使用時における表示画面支持部材８１の垂直面に対する矢印Ｄ方向への回動範囲の限界においては、表示画面支持部材８１の回動部８１ｂの切り欠き部８１ｄが、垂直支持部材８２のフック８２ｇの係止部８２ｈと対応する位置には位置しておらず、フック８２ｇの係止部８２ｈは、回動部８１ｂの切り欠き部８１ｄから離脱することはできない。この場合、矢印Ｙ１方向側および矢印Ｙ２方向側に設けられている垂直支持部材８２のフック８２ｊの係止部８２ｋによって、回動部８１ｂの突出片８１ｅは、矢印Ｙ１方向および矢印Ｙ２方向（図５参照）への移動が規制されている。これらにより、表示画面旋回装置２０の使用時における表示画面支持部材８１の垂直面に対する矢印Ｄ方向への回動範囲において、一対の垂直支持部材８２の表示画面支持部材８１への係止状態は保たれる。
【００７６】
この際、ステッピングモータ５２（図３参照）は駆動を継続しているが、ステッピングモータ５２の駆動力が所定のトルク値以上となった場合は、ステッピングモータ５２の駆動力は伝達ギア部５１に伝達されない。このため、ラックプレート６０の矢印Ｑ方向への移動（スライド）が停止した場合には、ステッピングモータ５２の駆動に関係なく回転が停止される。
【００７７】
次に、表示画面旋回装置２０の水平面内における左右方向の旋回動作について説明する。
【００７８】
まず、ユーザが付属リモコン（図示せず）の水平ターンボタン（図示せず）を押圧することによって、ディスプレイ本体１０（図１参照）を左方向（図１の矢印Ａ方向）に旋回させる信号がディスプレイ本体１０の制御回路部（図示せず）に送信されるとともに、表示画面旋回装置２０のステッピングモータ４２が駆動される。具体的には、図３に示すように、ステッピングモータ４２が駆動するのに伴って、ステッピングモータ４２に取り付けられたウォームギア４７が回転するとともに、ギア４３を介してトルクリミッタ７５の原動側ギア７７が矢印Ｅ３方向に回転する。そして、トルクリミッタ７５の従動側ギア７６が矢印Ｅ３方向に回転するとともに、ギア４４およびギア４５を介して、旋回ギア部材４８が矢印Ｅ４向に回転する。これにより、表示画面支持部材８１が取り付けられた台座部３０上の旋回板３１が矢印Ｇ１方向に旋回するので、図１７に示すように、ディスプレイ本体１０は、左方向（図１の矢印Ａ方向）へ所定の回転速度で旋回される。その際、表示画面支持部材８１に固定されている回動ギア８３も、表示画面支持部材８１の旋回に伴って矢印Ｈ１方向に回動される。この際、回動ギア８３と噛合するように配置されているラックギア６３（図４参照）も、噛合を保ったまま回動ギア８３の回動に伴って回動される。
【００７９】
そして、ディスプレイ本体１０（図１参照）が、ユーザが所望する角度まで旋回された場合、ユーザは付属リモコン（図示せず）の水平ターンボタン（図示せず）の押圧を解除することによって、ディスプレイ本体１０を左方向（図１の矢印Ａ方向）に旋回させる信号がディスプレイ本体１０の制御回路部（図示せず）に送信されなくなり、ステッピングモータ４２の駆動が停止される。これにより、台座部３０は、図１７に示すように、矢印Ｇ１方向への旋回を停止するとともに静止される。
【００８０】
また、ディスプレイ本体１０（図１参照）の左方向（図１の矢印Ａ方向）への旋回動作がユーザによって継続されている状態において、台座部３０の旋回角度が最大（本実施形態では３０度）となった場合は、旋回板３１は台座部３０の内部に設けられたストッパ部材（図示せず）に当接することによって、左方向（図１の矢印Ａ方向）への旋回動作が規制される。したがって、台座部３０は、矢印Ｇ１方向への旋回を停止するとともに静止される。この際、ステッピングモータ４２（図３参照）は駆動を継続しているが、ステッピングモータ４２の駆動力が所定のトルク値以上となった場合は、ステッピングモータ４２の駆動力を伝達ギア部４１（図３参照）に伝達されない。このため、旋回板３１がストッパ部材（図示せず）に当接した場合には、ステッピングモータ４２の駆動に関係なく回転が停止される。
【００８１】
なお、上記の旋回動作は、台座部３０を図３に示す矢印Ｇ１方向に旋回させる際について説明したが、矢印Ｇ１方向とは反対の矢印Ｇ２方向へ旋回板３１を旋回させる旋回動作の際も、水平旋回駆動部４０によって上記と同様の旋回動作が行われる。このため、旋回板３１が矢印Ｇ２方向へ旋回されることによって、ディスプレイ本体１０（図１参照）は右方向（図１の矢印Ｂ方向）に旋回されることが可能である。
【００８２】
本実施形態では、上記のように、表示画面支持部材８１が、穴部８１ｆを有し、垂直支持部材８２が、穴部８１ｆに挿入される平板状の支持軸８２ｄを有することによって、穴部８１ｆに挿入された平板状の支持軸８２ｄを回転軸として、表示画面支持部材８１を垂直支持部材８２に対して所定の角度前後方向（図１の矢印Ｃ方向および矢印Ｄ方向）に回動させることができるので、ディスプレイ本体１０を垂直面に対して所定の角度前後方向に回動させることができる。また、表示画面支持部材８１、垂直支持部材８２および支持軸８２ｄを金属製にすることによって、表示画面支持部材８１、垂直支持部材８２および支持軸８２ｄが樹脂製である場合と比べて、機械的強度を大きくすることができるので、ディスプレイ本体１０および表示画面旋回装置２０が大型化した際に、表示画面旋回装置２０本体が破損することを抑制することができる。また、垂直支持部材８２が、平板状の支持軸８２ｄを一体的に有することによって、ディスプレイ本体１０を垂直面に対して所定の角度前後方向に回動させるために支持軸８２ｄを別途設ける必要がないので、部品点数が増加することを抑制することができる。
【００８３】
また、本実施形態では、垂直支持部材８２が、支持軸８２ｄが穴部８１ｆに挿入された際に、表示画面旋回装置２０の使用時における表示画面支持部材８１の垂直面に対する前後方向（図１の矢印Ｃ方向および矢印Ｄ方向）の回動範囲内において、支持軸８２ｄが穴部８１ｆから離脱するのを抑制するためのフック８２ｇおよび８２ｊを有することによって、表示画面支持部材８１の垂直面に対する前後方向の回動時に、表示画面支持部材８１と垂直支持部材８２との係止状態が解除されるのを抑制することができる。また、垂直支持部材８２がフック８２ｇおよび８２ｊを一体的に有することによって、表示画面支持部材８１と垂直支持部材８２とのどちらか一方に支持軸８２ｄが穴部８１ｆから離脱するのを抑制するための係止部材を別途設ける必要がないので、部品点数が増加することを抑制することができる。
【００８４】
また、本実施形態では、表示画面支持部材８１を表示画面旋回装置２０の使用時における表示画面支持部材８１の垂直面に対する前方向（図１の矢印Ｃ方向）の回動範囲よりも大きく回動させた場合に、垂直支持部材８２の表示画面支持部材８１への係止状態を解除するように構成することによって、表示画面旋回装置２０の使用時には、垂直支持部材８２の表示画面支持部材８１への係止状態を保つことができるとともに、垂直支持部材８２を表示画面支持部材８１へ組み付ける際、または、垂直支持部材８２を表示画面支持部材８１から取り外す際には、表示画面支持部材８１を表示画面旋回装置２０の使用時における表示画面支持部材８１の垂直面に対する回動範囲よりも大きく回動させることによって、垂直支持部材８２を表示画面支持部材８１へ組み付けることができるとともに、垂直支持部材８２を表示画面支持部材８１から取り外すことができる。
【００８５】
また、本実施形態では、表示画面支持部材８１が、垂直支持部材８２の表示画面支持部材８１への係止状態が解除される位置まで回動した状態において、フック８２ｇを表示画面支持部材８１から離脱させるための切り欠き部８１ｄをさらに有することによって、垂直支持部材８２を表示画面支持部材８１から取り外す際において、表示画面支持部材８１の切り欠き部８１ｄを介して垂直支持部材８２のフック８２ｇを表示画面支持部材８１から容易に離脱させることができるので、より容易に、垂直支持部材８２を表示画面支持部材８１からより容易に取り外すことができる。
【００８６】
また、本実施形態では、垂直支持部材８２は、板金製であり、支持軸８２ｄとフック８２ｇおよび８２ｊとを、折り曲げ加工により垂直支持部材８２に一体的に形成することによって、通常の板金加工により、容易に、支持軸８２ｄとフック８２ｇおよび８２ｊとを有する垂直支持部材８２を得ることができる。
【００８７】
また、本実施形態では、フック８２ｇおよび８２ｊを、支持軸８２ｄを挟み込むように垂直支持部材８２に一対形成することによって、フックが１つのみ設けられている場合と比べて、表示画面支持部材８１は垂直支持部材８２に２点で支持されるので、表示画面旋回装置２０の使用時において表示画面支持部材８１と垂直支持部材８２とががたつくのを抑制することができる。
【００８８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８９】
たとえば、上記実施形態では、テレビジョン装置の一例としての液晶テレビジョンに表示画面旋回装置を設ける例を示したが、本発明はこれに限らず、有機ＥＬパネルなどの液晶パネル以外の表示画面部を有するテレビジョン装置に表示画面旋回装置を設けるようにしてもよい。
【００９０】
また、上記実施形態では、表示画面支持部材８１（第１支持部材）に穴部８１ｆ（挿入孔）を形成するとともに、垂直支持部材８２（第２支持部材）に支持軸８２ｄとフック８２ｇおよび８２ｊ（係止部材）とを一体的に形成する例を示したが、本発明はこれに限らず、第２支持部材に挿入孔を形成するとともに、第１支持部材に支持軸と係止部材とを一体的に形成してもよいし、第１支持部材と第２支持部材との一方に挿入孔と係止部材とを一体的に形成するとともに、第１支持部材と第２支持部材との他方に支持軸を一体的に形成してもよい。
【００９１】
また、上記実施形態では、垂直支持部材８２にフック８２ｇおよび８２ｊを一体的に形成する例を示したが、本発明はこれに限らず、係止部材を第１支持部材または第２支持部材と別体に設けてもよい。
【００９２】
また、上記実施形態では、表示画面支持部材８１および垂直支持部材８２が板金からなる例を示したが、本発明はこれに限らず、第１支持部材および第２支持部材は、金属製であれば、板金製に限られない。
【００９３】
また、上記実施形態では、垂直支持部材８２に一対のフック８２ｇおよび８２ｊを支持軸８２ｄを挟み込むように形成する例を示したが、本発明はこれに限らず、係止部材は、１つまたは３つ以上でもよい。
【００９４】
また、上記実施形態では、テレビジョン本体１０（表示画面部）を垂直面に対して所定の角度前後方向に回動させるために、プレート部材６１の上面に設けられたラックギア６３と表示画面支持部材８１の下面部８１ｉに設けられた回動ギア８３とを用いた例を示したが、本発明はこれに限らず、ピン部材などを用いてプレート部材の上面と表示画面支持部材の下面とを回動可能に固定することにより、表示画面部を垂直面に対して所定の角度前後方向に回動させるように構成してもよい。
【００９５】
また、上記実施形態では、水平旋回駆動部４０および垂直旋回駆動部５０の駆動源としてステッピングモータ４２および５２をそれぞれ設ける例を示したが、本発明はこれに限らず、１つの駆動源によって水平旋回駆動部および垂直旋回駆動部の両方を駆動させるようにしてもよい。
【図面の簡単な説明】
【００９６】
【図１】本発明の一実施形態による表示画面旋回装置が設けられた液晶テレビジョンの全体構成を示した斜視図である。
【図２】図１に示した本発明の一実施形態による表示画面旋回装置が設けられた液晶テレビジョンの分解斜視図である。
【図３】図１に示した本発明の一実施形態による表示画面旋回装置の平面図である。
【図４】図１に示した本発明の一実施形態による表示画面旋回装置の構成を説明するための断面図である。
【図５】図１に示した本発明の一実施形態による表示画面旋回装置の詳細構造を説明するための分解斜視図である。
【図６】本発明の一実施形態による表示画面支持機構および旋回板の詳細構造を説明するための分解斜視図である。
【図７】本発明の一実施形態による表示画面支持部材を図６の矢印Ｙ２方向から見た側面図である。
【図８】本発明の一実施形態による表示画面支持部材を図６の矢印Ｘ１方向から見た正面図である。
【図９】本発明の一実施形態による表示画面支持部材の図６の矢印Ｙ２方向側の回動部に取り付けられる垂直支持部材を矢印Ｙ２方向から見た正面図である。
【図１０】本発明の一実施形態による図９の垂直支持部材の２００ー２００線における断面図である。
【図１１】本発明の一実施形態による図９の垂直支持部材を矢印Ｘ１方向から見た側面図である。
【図１２】本発明の一実施形態による図９の垂直支持部材を矢印Ｘ２方向から見た側面図である。
【図１３】本発明の一実施形態による表示画面支持部材と垂直支持部材とを上方（図５の矢印Ｚ１方向）から見た平面図である。
【図１４】本発明の一実施形態による表示画面支持部材と垂直支持部材との組み付けおよび取り外しを説明するための図である。
【図１５】図１に示した本発明の一実施形態による表示画面旋回装置の上向き方向（矢印Ｃ方向）の旋回動作を説明するための断面図である。
【図１６】図１に示した本発明の一実施形態による表示画面旋回装置の下向き方向（矢印Ｄ方向）の旋回動作を説明するための断面図である。
【図１７】図１に示した本発明の一実施形態による表示画面旋回装置の左方向（矢印Ａ方向）の旋回動作を説明するための平面図である。
【符号の説明】
【００９７】
１０  ディスプレイ本体（表示画面部）
２０  表示画面旋回装置
８１  表示画面支持部材（第１支持部材）
８１ｄ  切り欠き部
８１ｆ  穴部（挿入孔）
８２  垂直支持部材（第２支持部材）
８２ｄ  支持軸
８２ｇ、８２ｊ  フック（係止部材）
１００  液晶テレビジョン（テレビジョン装置）
【図１】
0004530071.tif 000002
【図２】
0004530071.tif 000003
【図３】
0004530071.tif 000004
【図４】
0004530071.tif 000005
【図５】
0004530071.tif 000006
【図６】
0004530071.tif 000007
【図７】
0004530071.tif 000008
【図８】
0004530071.tif 000009
【図９】
0004530071.tif 000010
【図１０】
0004530071.tif 000011
【図１１】
0004530071.tif 000012
【図１２】
0004530071.tif 000013
【図１３】
0004530071.tif 000014
【図１４】
0004530071.tif 000015
【図１５】
0004530071.tif 000016
【図１６】
0004530071.tif 000017
【図１７】
0004530071.tif 000018